(57)【要約】  本発明は、刃による皮膚損傷を効果的に低減できる一体型多重カミソリ及びその製造方法に関する。本発明の実施形態による一体型多重カミソリは、フレーム部と、カミソリ部とを含む。ここで、フレーム部は、所定の長さを有し、一方向に所定間隔離隔して形成される。また、カミソリ部は、フレーム部と一体に形成され、フレーム部と垂直な方向に形成される複数のカミソリを有する。【選択図】図４
2016523653.tif 000002
【特許請求の範囲】
【請求項１】
所定の長さを有し、一方向に所定間隔離隔して形成されるフレーム部と、
前記フレーム部と一体に形成され、前記フレーム部と垂直な方向に形成される複数のカミソリを有するカミソリ部とを含む一体型多重カミソリ。
【請求項２】
前記カミソリ部は、
前記フレーム部と一体に形成され、一方向に傾斜して形成され、終端部には皮膚に面接触するように平坦に形成された第１面接触部を有する複数のメインカミソリと、
前記フレーム部と一体に形成され、髭剃り方向において前記メインカミソリの前方に形成され、終端部には前記第１面接触部の延長線上に備えられる平坦な形状の第２面接触部が形成され、前記第２面接触部の前方には傾斜して形成された案内部を有するヘッドと、
前記フレーム部と一体に形成され、髭剃り方向において前記メインカミソリの後方に一方向に傾斜して形成され、終端部には前記第１面接触部の延長線上に備えられて皮膚に面接触するように平坦に形成された第３面接触部を有する精密カミソリとを有することを特徴とする請求項１に記載の一体型多重カミソリ。
【請求項３】
前記精密カミソリは、前記メインカミソリの長さより短く形成され、前記第３面接触部は、前記第１面接触部の面積より狭い面積を有することを特徴とする請求項２に記載の一体型多重カミソリ。
【請求項４】
前記精密カミソリは、前記第３面接触部に対して９０度以下の刃角を有し、前記各メインカミソリは、同一又は異なる刃角、刃間隔及び刃厚に形成されることを特徴とする請求項２に記載の一体型多重カミソリ。
【請求項５】
前記メインカミソリは、前記第１面接触部に対して９０度以下の刃角を有し、前記各メインカミソリは、同一又は異なる刃角、刃間隔及び刃厚に形成されることを特徴とする請求項２に記載の一体型多重カミソリ。
【請求項６】
前記メインカミソリは少なくとも１つ形成されることを特徴とする請求項２に記載の一体型多重カミソリ。
【請求項７】
前記カミソリ部は、前記フレーム部の両側にそれぞれ形成され、前記各カミソリ部は、前記フレーム部を中心に対称となるように形成され、髭剃り方向が互いに反対となるように形成されることを特徴とする請求項２〜６のいずれかに記載の一体型多重カミソリ。
【請求項８】
前記カミソリ部は、前記フレーム部の上端部及び下端部に前記フレーム部と一体に形成され、終端部には皮膚に面接触するように平坦に形成された第４面接触部を有するカミソリを有し、前記各カミソリは、髭剃り方向が同一となるように形成されることを特徴とする請求項１に記載の一体型多重カミソリ。
【請求項９】
前記カミソリ部は、前記フレーム部の上端部又は下端部に前記フレーム部と一体に形成され、終端部には皮膚に面接触するように平坦に形成された第５面接触部を有するカミソリを有し、前記各カミソリは、前記フレーム部の長手方向中心軸を中心に対称となるように形成され、髭剃り方向が互いに反対となるように形成されることを特徴とする請求項１に記載の一体型多重カミソリ。
【請求項１０】
前記カミソリ部は、前記フレーム部の上端部又は下端部に前記フレーム部と一体に形成され、外側面全体が第６面接触部を形成するカミソリを有し、前記各カミソリは、髭剃り方向が同一となるように形成されることを特徴とする請求項１に記載の一体型多重カミソリ。
【請求項１１】
前記フレーム部及び前記カミソリ部は、耐摩耗性、高強度を有するセラミック素材からなることを特徴とする請求項１に記載の一体型多重カミソリ。
【請求項１２】
一体型構造物を加工することにより、所定の長さを有し、一方向に所定間隔離隔して形成されるフレーム部を形成するステップと、
前記一体型構造物を加工することにより、前記フレーム部と一体に形成され、前記フレーム部と垂直な方向に形成される複数のカミソリを有するカミソリ部を形成するステップとを含む一体型多重カミソリの製造方法。
【請求項１３】
前記カミソリ部を形成するステップにおいては、
前記フレーム部と一体に形成され、一方向に傾斜して形成され、終端部には皮膚に面接触するように平坦に形成された第１面接触部を有する複数のメインカミソリと、
前記フレーム部と一体に形成され、髭剃り方向において前記メインカミソリの前方に形成され、終端部には前記第１面接触部の延長線上に備えられる平坦な形状の第２面接触部が形成され、前記第２面接触部の前方には傾斜して形成された案内部を有するヘッドと、
前記フレーム部と一体に形成され、髭剃り方向において前記メインカミソリの後方に一方向に傾斜して形成され、終端部には前記第１面接触部の延長線上に備えられて皮膚に面接触するように平坦に形成された第３面接触部を有する精密カミソリとが加工形成されることを特徴とする請求項１２に記載の一体型多重カミソリの製造方法。
【請求項１４】
前記カミソリ部を形成するステップにおいて、
前記カミソリ部は、前記フレーム部の両側にそれぞれ形成され、前記各カミソリ部は、前記フレーム部を中心に対称となるように形成され、髭剃り方向が互いに反対となるように形成されることを特徴とする請求項１３に記載の一体型多重カミソリの製造方法。
【請求項１５】
前記カミソリ部を形成するステップにおいては、
前記フレーム部の上端部及び下端部に前記フレーム部と一体にカミソリが加工形成され、前記カミソリは、終端部に皮膚に面接触するように平坦に形成された第４面接触部を有し、前記各カミソリの髭剃り方向が同一となるように加工形成されることを特徴とする請求項１２に記載の一体型多重カミソリの製造方法。
【請求項１６】
前記カミソリ部を形成するステップにおいては、
前記フレーム部の上端部又は下端部に前記フレーム部と一体にカミソリが加工形成され、前記カミソリは、終端部に皮膚に面接触するように平坦に形成された第５面接触部を有し、前記各カミソリは、前記フレーム部の長手方向中心軸を中心に対称となるように形成され、髭剃り方向が互いに反対となるように加工形成されることを特徴とする請求項１２に記載の一体型多重カミソリの製造方法。
【請求項１７】
前記カミソリ部を形成するステップにおいては、
前記フレーム部の上端部又は下端部に前記フレーム部と一体にカミソリが加工形成され、前記カミソリは、外側面全体が第６面接触部を形成し、前記各カミソリは、髭剃り方向が同一となるように加工形成されることを特徴とする請求項１２に記載の一体型多重カミソリの製造方法。
【発明の詳細な説明】
【技術分野】
【０００１】
本発明は、一体型多重カミソリ及びその製造方法に関し、特に刃による皮膚損傷を効果的に低減できる一体型多重カミソリ及びその製造方法に関する。
【背景技術】
【０００２】
一般に、カミソリは人の皮膚に接触させて髭を剃るのに用いられる。
【０００３】
図１は従来のカミソリカートリッジの断面の一例を概略的に示す図である。
【０００４】
図１に示すように、従来のカミソリ１０の終端部１１は、皮膚接触部に対向して線接触するように備えられるので、カミソリの終端部１１が皮膚に深く線接触する。よって、髭を剃る際の些細な不注意でカミソリ１０の終端部１１により切り傷が生じる恐れがある。
【０００５】
また、各カミソリ１０は個別に作製されて組み立てられている。しかし、このような組立過程において、各カミソリ１０の高さや各カミソリ１０間の離間距離が意図するところと異なる高さや距離で組み立てられ得るという問題がある。このような問題は、髭を剃る際の皮膚の損傷だけでなく、甚だしくは皮膚の切り傷などの危険を招くことがある。
【０００６】
さらに、このようなカミソリはほとんどがスチール材質であるので、皮膚との接触において良好な親和力を維持することは困難である。
【０００７】
さらに、このようなスチール材質のカミソリは使用中に水分、空気に頻繁に接触するので酸化作用による汚染や変質の恐れがあり、甚だしくは錆ついて髭がよく剃れなくなり、カミソリを頻繁に交換しなければならないという問題や、無理に髭を剃ることによる皮膚損傷や損傷部位での細菌繁殖が発生し得るという問題がある。
【発明の概要】
【発明が解決しようとする課題】
【０００８】
本発明は、上記問題を解決するためになされたものであり、刃による皮膚損傷を効果的に低減できる一体型多重カミソリ及びその製造方法を提供することを技術的課題とする。
【課題を解決するための手段】
【０００９】
上記技術的課題を達成するために、本発明の一実施形態は、所定の長さを有し、一方向に所定間隔離隔して形成されるフレーム部と、前記フレーム部と一体に形成され、前記フレーム部と垂直な方向に形成される複数のカミソリを有するカミソリ部とを含む一体型多重カミソリを提供する。
【００１０】
本発明の一実施形態において、前記カミソリ部は、前記フレーム部と一体に形成され、一方向に傾斜して形成され、終端部には皮膚に面接触するように平坦に形成された第１面接触部を有する複数のメインカミソリと、前記フレーム部と一体に形成され、髭剃り方向において前記メインカミソリの前方に形成され、終端部には前記第１面接触部の延長線上に備えられる平坦な形状の第２面接触部が形成され、前記第２面接触部の前方には傾斜して形成された案内部を有するヘッドと、前記フレーム部と一体に形成され、髭剃り方向において前記メインカミソリの後方に一方向に傾斜して形成され、終端部には前記第１面接触部の延長線上に備えられて皮膚に面接触するように平坦に形成された第３面接触部を有する精密カミソリとを有する。
【００１１】
本発明の一実施形態において、前記精密カミソリは、前記メインカミソリの長さより短く形成され、前記第３面接触部は、前記第１面接触部の面積より狭い面積を有してもよい。
【００１２】
本発明の一実施形態において、前記精密カミソリは、前記第３面接触部に対して９０度以下の刃角を有し、前記各メインカミソリは、同一又は異なる刃角、刃間隔及び刃厚に形成されてもよい。
【００１３】
本発明の一実施形態において、前記メインカミソリは、前記第１面接触部に対して９０度以下の刃角を有し、前記各メインカミソリは、同一又は異なる刃角、刃間隔及び刃厚に形成されてもよい。
【００１４】
本発明の一実施形態において、前記メインカミソリは少なくとも１つ形成されるようにしてもよい。
【００１５】
本発明の一実施形態において、前記カミソリ部は、前記フレーム部の両側にそれぞれ形成され、前記各カミソリ部は、前記フレーム部を中心に対称となるように形成され、髭剃り方向が互いに反対となるように形成されてもよい。
【００１６】
本発明の一実施形態において、前記カミソリ部は、前記フレーム部の上端部及び下端部に前記フレーム部と一体に形成され、終端部には皮膚に面接触するように平坦に形成された第４面接触部を有するカミソリを有し、前記各カミソリは、髭剃り方向が同一となるように形成されてもよい。
【００１７】
本発明の一実施形態において、前記カミソリ部は、前記フレーム部の上端部又は下端部に前記フレーム部と一体に形成され、終端部には皮膚に面接触するように平坦に形成された第５面接触部を有するカミソリを有し、前記各カミソリは、前記フレーム部の長手方向中心軸を中心に対称となるように形成され、髭剃り方向が互いに反対となるように形成されてもよい。
【００１８】
本発明の一実施形態において、前記カミソリ部は、前記フレーム部の上端部又は下端部に前記フレーム部と一体に形成され、外側面全体が第６面接触部を形成するカミソリを有し、前記各カミソリは、髭剃り方向が同一となるように形成されてもよい。
【００１９】
本発明の一実施形態において、前記フレーム部及び前記カミソリ部は、耐摩耗性、高強度を有するセラミック素材からなってもよい。
【００２０】
また、上記技術的課題を達成するために、本発明の一実施形態は、一体型構造物を加工することにより、所定の長さを有し、一方向に所定間隔離隔して形成されるフレーム部を形成するステップと、前記一体型構造物を加工することにより、前記フレーム部と一体に形成され、前記フレーム部と垂直な方向に形成される複数のカミソリを有するカミソリ部を形成するステップとを含む一体型多重カミソリの製造方法を提供する。
【００２１】
本発明の一実施形態において、前記カミソリ部を形成するステップにおいては、前記フレーム部と一体に形成され、一方向に傾斜して形成され、終端部には皮膚に面接触するように平坦に形成された第１面接触部を有する複数のメインカミソリと、前記フレーム部と一体に形成され、髭剃り方向において前記メインカミソリの前方に形成され、終端部には前記第１面接触部の延長線上に備えられる平坦な形状の第２面接触部が形成され、前記第２面接触部の前方には傾斜して形成された案内部を有するヘッドと、前記フレーム部と一体に形成され、髭剃り方向において前記メインカミソリの後方に一方向に傾斜して形成され、終端部には前記第１面接触部の延長線上に備えられて皮膚に面接触するように平坦に形成された第３面接触部を有する精密カミソリとが加工形成されてもよい。
【００２２】
本発明の一実施形態において、前記カミソリ部を形成するステップにおいて、前記カミソリ部は、前記フレーム部の両側にそれぞれ形成され、前記各カミソリ部は、前記フレーム部を中心に対称となるように形成され、髭剃り方向が互いに反対となるように形成されてもよい。
【００２３】
本発明の一実施形態において、前記カミソリ部を形成するステップにおいては、前記フレーム部の上端部及び下端部に前記フレーム部と一体にカミソリが加工形成され、前記カミソリは、終端部に皮膚に面接触するように平坦に形成された第４面接触部を有し、前記各カミソリの髭剃り方向が同一となるように加工形成されてもよい。
【００２４】
本発明の一実施形態において、前記カミソリ部を形成するステップにおいては、前記フレーム部の上端部又は下端部に前記フレーム部と一体にカミソリが加工形成され、前記カミソリは、終端部に皮膚に面接触するように平坦に形成された第５面接触部を有し、前記各カミソリは、前記フレーム部の長手方向中心軸を中心に対称となるように形成され、髭剃り方向が互いに反対となるように加工形成されてもよい。
【００２５】
本発明の一実施形態において、前記カミソリ部を形成するステップにおいては、前記フレーム部の上端部又は下端部に前記フレーム部と一体にカミソリが加工形成され、前記カミソリは、外側面全体が第６面接触部を形成し、前記各カミソリは、髭剃り方向が同一となるように加工形成されてもよい。
【発明の効果】
【００２６】
本発明の一実施形態によれば、メインカミソリの終端部には平坦かつ水平に皮膚に面接触するように案内する第１面接触部が形成される。第１面接触部は髭を剃る際にユーザの皮膚に面接触するので、従来のカミソリの終端部がユーザの皮膚に対向して線接触することにより発生し得る皮膚の切り傷などの損傷を効果的に防止することができる。
【００２７】
また、本発明の一実施形態によれば、精密カミソリが髭剃り方向においてメインカミソリの後方に形成され、メインカミソリの長さより短く狭い面積を有するように形成されるので、精密な髭剃りが可能である。また、精密カミソリの終端部にも皮膚に面接触するように平坦に第３面接触部が形成されるので、皮膚の切り傷などの損傷を効果的に防止することができる。
【００２８】
さらに、本発明の一実施形態によれば、フレーム部及びカミソリ部がセラミック素材からなる。よって、本発明による一体型多重カミソリは、従来のスチール材質のカミソリのような酸化や腐食が発生せず、カミソリ終端部の損傷や摩耗が少なく、汚染や変質が発生する恐れが少ない。また、洗浄が容易であり、細菌繁殖も効果的に防止することができる。
【００２９】
本発明の効果は前述した効果に限定されるものではなく、本発明の詳細な説明又は請求の範囲に記載されている発明の構成から推測できるあらゆる効果を含むものと理解されるべきである。
【図面の簡単な説明】
【００３０】
【図１】従来のカミソリカートリッジの断面の一例を概略的に示す図である。
【図２】本発明の第１実施形態による一体型多重カミソリを上方から見た斜視図である。
【図３】本発明の第１実施形態による一体型多重カミソリを下方から見た斜視図である。
【図４】本発明の第１実施形態による一体型多重カミソリを示す側面図である。
【図５】本発明の第１実施形態による一体型多重カミソリの製造方法を示すフローチャートである。
【図６ａ】本発明の第１実施形態による一体型多重カミソリの製造方法の流れにおける形状の一例を示す図である。
【図６ｂ】本発明の第１実施形態による一体型多重カミソリの製造方法の流れにおける形状の他の例を示す図である。
【図６ｃ】本発明の第１実施形態による一体型多重カミソリの製造方法の流れにおける形状のさらに他の例を示す図である。
【図７】本発明の第２実施形態による一体型多重カミソリの斜視図である。
【図８】本発明の第２実施形態による一体型多重カミソリの側面図である。
【図９】本発明の第３実施形態による一体型多重カミソリの斜視図である。
【図１０】本発明の第３実施形態による一体型多重カミソリの側面図である。
【図１１】本発明の第４実施形態による一体型多重カミソリの斜視図である。
【図１２】本発明の第４実施形態による一体型多重カミソリの側面図である。
【図１３】本発明の第５実施形態による一体型多重カミソリの斜視図である。
【図１４】本発明の第５実施形態による一体型多重カミソリの側面図である。
【発明を実施するための形態】
【００３１】
以下、添付図面を参照して本発明について説明する。しかし、本発明は様々な異なる形態で実現することができるため、ここで説明する実施形態に限定されるものではない。また、本発明を明確に説明するために説明に関係のない部分は図面から省略し、明細書全体を通じて類似の部分には類似の符号を付した。
【００３２】
明細書全体において、ある部分が他の部分と「連結」されているというとき、これには「直接連結」されている場合のみでなく、その中間に他の部材を介して「間接的に連結」されている場合も含まれる。また、ある部分がある構成要素を「含む」というとき、これは特に断らない限り、他の構成要素を除くのではなく、他の構成要素をさらに備えることを意味する。
【００３３】
以下、添付図面を参照して本発明の実施形態について詳細に説明する。
【００３４】
図２は本発明の第１実施形態による一体型多重カミソリを上方から見た斜視図であり、図３は本発明の第１実施形態による一体型多重カミソリを下方から見た斜視図であり、図４は本発明の第１実施形態による一体型多重カミソリを示す側面図である。
【００３５】
図２〜図４に示すように、本発明の第１実施形態による一体型多重カミソリ１００は、フレーム部２００と、カミソリ部３００とを含む。
【００３６】
フレーム部２００は、所定の長さを有するように形成され、一方向に所定間隔離隔して形成される。また、フレーム部２００は、異なる間隔で離隔して形成されてもよい。
【００３７】
本発明の第１実施形態においては、フレーム部２００が一体型多重カミソリ１００の両端部と中央に形成される場合について説明しているが、フレーム部２００の形成位置と形状は必ずしもこれに限定されるものではない。
【００３８】
カミソリ部３００は、フレーム部２００と一体に形成され、フレーム部２００と垂直な方向に一方向に傾斜して形成される複数のカミソリ３１０、３３０を有する。
【００３９】
また、カミソリ部３００は、メインカミソリ３１０と、ヘッド３２０と、精密カミソリ３３０とを有する。
【００４０】
メインカミソリ３１０は、フレーム部２００と一体に形成される。また、メインカミソリ３１０は、一方向に傾斜して形成される。
【００４１】
また、メインカミソリ３１０の終端部には、第１面接触部３１５が形成される。
【００４２】
第１面接触部３１５は皮膚に面接触するように平坦に形成されるので、第１面接触部３１５はユーザの皮膚に面接触する。
【００４３】
第１面接触部３１５は髭を剃る際にユーザの皮膚に面接触するので、従来のカミソリのようにカミソリの終端部がユーザの皮膚に線接触することにより発生し得る皮膚の切り傷などの損傷を効果的に防止することができる。
【００４４】
メインカミソリ３１０は、カミソリ部３００の中央に位置し、髭を剃る際にユーザの毛を剃る主な役割を果たす。
【００４５】
メインカミソリ３１０は、第１面接触部３１５と皮膚の面接触面積、カミソリの角度、カミソリの刃厚、カミソリの間隔など、髭剃り性能に関する要素を考慮すると、１つ以上で形成される。例えば、メインカミソリ３１０が２つ形成され、精密カミソリ３３０が１つ形成される場合、精密カミソリ３３０を含めて３重カミソリが形成される。
【００４６】
また、メインカミソリ３１０は、第１面接触部３１５に対して９０度以下の刃角Ａ１を有するように形成される。ここで、メインカミソリ３１０の刃角Ａ１が小さいほど髭剃り性能は向上する。
【００４７】
メインカミソリ３１０が複数で形成される場合、各メインカミソリ３１０は同一又は異なる刃角、刃間隔Ｗ及び刃厚Ｔに形成される。
【００４８】
メインカミソリ３１０はフレーム部２００と一体に形成されるので、従来のように個別に作製されたカミソリを組み立てる過程で発生し得るカミソリの高さ及び間隔不良の問題を根本的に防止することができる。
【００４９】
すなわち、本発明による各メインカミソリ３１１、３１２、３１３はフレーム部２００と一体に形成されるので、従来のカミソリカートリッジ組立過程を省略することができ、一旦形成された各メインカミソリ３１１、３１２、３１３は高さと間隔が一定に維持される。
【００５０】
前述したように、消費者群の特性、例えば性別、体毛の太さ、体毛の強度、髭剃り習慣などを考慮して、髭剃り効果を向上させるために、各メインカミソリ３１１、３１２、３１３の刃角、刃厚及び刃間隔は同一又は異なるように形成される。しかし、一旦このように形成された各メインカミソリ３１１、３１２、３１３の高さとカミソリの間隔は変わらない。
【００５１】
ヘッド３２０は、髭剃り方向においてメインカミソリ３１０の前方に形成され、フレーム部２００と一体に形成される。
【００５２】
ヘッド３２０の終端部には平坦な形状の第２面接触部３２１が形成され、第２面接触部３２１はメインカミソリ３１０の第１面接触部３１５の延長線上に形成される。
【００５３】
また、第２面接触部３２１の前方には案内部３２２が形成される。案内部３２２は、傾斜して形成されてもよく、ラウンドした形状に形成されてもよい。案内部３２２は、髭を剃る際に、髭剃り方向において最も前方に備えられるヘッド３２０が皮膚を損傷させることなく移動するように案内する。
【００５４】
精密カミソリ３３０は、フレーム部２００と一体に形成され、髭剃り方向においてメインカミソリ３１０の後方に形成される。
【００５５】
また、精密カミソリ３３０は、一方向、すなわちメインカミソリ３１０の形成方向と同じ方向に傾斜して形成される。
【００５６】
また、精密カミソリ３３０の終端部には、皮膚に面接触するように平坦に第３面接触部３３１が形成される。
【００５７】
第３面接触部３３１は、第１面接触部３１５の延長線上に備えられるので、髭を剃る際にメインカミソリ３１０と共に皮膚に安定して面接触する。
【００５８】
また、第３面接触部３３１は、第１面接触部３１５の面積より狭い面積を有するように形成される。さらに、精密カミソリ３３０は、メインカミソリ３１０の長さより短く形成される。
【００５９】
このように、精密カミソリ３３０は髭剃り方向においてメインカミソリ３１０の後方に形成されて髭剃り方向の最後方に位置し、メインカミソリ３１０の第１面接触部３１５の面積より狭い面積に形成されるので、精密な髭剃りが可能になる。
【００６０】
精密カミソリ３３０は、第３面接触部３３１に対して９０度以下の刃角Ａ２を有するように形成される。ここで、精密カミソリ３３０の刃角Ａ２が小さいほど髭剃り性能が向上する。また、精密カミソリ３３０は複数で形成されてもよく、精密カミソリ３３０が複数で形成される場合、各精密カミソリ３３０は同一又は異なる刃角、刃間隔及び刃厚に形成される。
【００６１】
精密カミソリ３３０もフレーム部２００と一体に形成されるので、カミソリの高さ及び間隔不良の問題を根本的に防止することができる。
【００６２】
また、フレーム部２００及びカミソリ部３００は、耐摩耗性、高強度を有するセラミック素材からなる。よって、本発明による一体型多重カミソリ１００は、従来のスチール材質のカミソリのような酸化や腐食が発生せず、カミソリ終端部の損傷や摩耗が少なく、汚染や変質が発生する恐れが少ない。また、洗浄が容易であり、細菌繁殖も効果的に防止することができる。
【００６３】
図５は本発明の第１実施形態による一体型多重カミソリの製造方法を示すフローチャートであり、図６ａ〜図６ｃは本発明の第１実施形態による一体型多重カミソリの製造方法の流れにおける形状の例を示す図である。
【００６４】
まず、図５及び図６ａの（ａ）〜（ｂ）に示すように、一体型構造物５００を加工することにより、所定の長さを有し、一方向に所定間隔離隔して形成されるフレーム部２００を形成するステップＳ１１００が行われる。
【００６５】
ここで、一体型構造物５００は、正六面体の形状を有してもよく、耐摩耗性、高強度を有するセラミック素材からなる。
【００６６】
あるいは、図６ｂの（ａ）〜（ｂ）及び図６ｃの（ａ）〜（ｂ）に示すように、一体型構造物５００は、側面の一部分がラウンドした形状に形成されてもよい。
【００６７】
また、一体型構造物５００は、セラミック原料、バインダー、可塑材及び安定化剤を混合することにより作製される。ここで、セラミック原料には、強度及び靭性が大きく、部分安定化した焼結性のよい高純度微粉末が用いられる。
【００６８】
セラミック原料は、射出成形により一体型構造物に成形され、正六面体、半円筒形、楕円筒形などの形状に成形される。
【００６９】
また、フレーム部２００、２００ａ、２００ｂは、一体型構造物５００、５００ａ、５００ｂの下部を加工することにより形成される。
【００７０】
前記フレーム部の形状及び形成位置は、一体型多重カミソリの大きさ、セラミック素材の強度などに応じて適宜調節される。
【００７１】
また、図５及び図６ａの（ｃ）に示すように、一体型構造物５００を加工することにより、フレーム部２００と一体に形成され、フレーム部２００と垂直な方向に形成される複数のカミソリ３１０、３３０を有するカミソリ部３００を形成するステップＳ１２００が行われる。
【００７２】
カミソリ部を形成するステップＳ１２００においては、フレーム部２００と一体に形成され、一方向に傾斜して形成され、終端部には皮膚に面接触するように平坦に形成された第１面接触部３１５を有する複数のメインカミソリ３１１、３１２、３１３を加工形成することができる。
【００７３】
また、フレーム部２００と一体に形成され、髭剃り方向においてメインカミソリ３１０の前方に形成され、終端部には第１面接触部３１５の延長線上に備えられる平坦な形状の第２面接触部３２１が形成され、第２面接触部３２１の前方には傾斜して形成された案内部３２２を有するヘッド３２０を加工形成することができる。
【００７４】
さらに、フレーム部２００と一体に形成され、髭剃り方向においてメインカミソリ３１０の後方に一方向に傾斜して形成され、終端部には第１面接触部３１５の延長線上に備えられて皮膚に面接触するように平坦に形成された第３面接触部３３１を有する精密カミソリ３３０を加工形成することができる。
【００７５】
メインカミソリ３１０、ヘッド３２０及び精密カミソリ３３０を加工形成する順序は、特に限定されるものではなく、工程の利便性などを考慮して適宜調節される。
【００７６】
また、前述した過程が図６ｂの（ｃ）及び図６ｃの（ｃ）にも同様に適用されることは言うまでもない。
【００７７】
以下、一体型多重カミソリの他の実施形態について説明する。
【００７８】
まず、図７は本発明の第２実施形態による一体型多重カミソリの斜視図であり、図８は本発明の第２実施形態による一体型多重カミソリの側面図である。本実施形態による一体型多重カミソリは、カミソリ部がフレームの両側に形成され、他の構成は前述した第１実施形態と同一であるので説明を省略する。
【００７９】
図７及び図８に示すように、本発明の第２実施形態による一体型多重カミソリのカミソリ部２３００ａ、２３００ｂは、フレーム部２２００の両側にそれぞれ形成される。
【００８０】
また、フレーム部２２００の両側にそれぞれ形成されるカミソリ部２３００ａ、２３００ｂは、フレーム部２２００を中心に対称となるように形成され、髭剃り方向が互いに反対となるように形成される。
【００８１】
こうすることにより、一方のカミソリが摩耗したら他方のカミソリを用いて髭剃りができるので、使用期間も延長され、両方向の髭剃りが可能になる。
【００８２】
また、各カミソリ部２３００ａ、２３００ｂが異なる髭剃り条件を提供できるように、フレーム部２２００の両側にそれぞれ形成されるカミソリ部２３００ａ、２３００ｂの刃角、刃間隔、刃厚が異なるように形成されるので、使用性がよくなる。
【００８３】
一方、図９は本発明の第３実施形態による一体型多重カミソリの斜視図であり、図１０は本発明の第３実施形態による一体型多重カミソリの側面図である。
【００８４】
図９及び図１０に示すように、本発明の第３実施形態による一体型多重カミソリにおいては、カミソリ部３３００ａ、３３００ｂがフレーム部３２００の上端部及び下端部にフレーム部３２００と一体に形成される。
【００８５】
また、カミソリ部３３００ａ、３３００ｂは、第４面接触部３３１０が形成されたカミソリ３３２０を有する。第４面接触部３３１０は、カミソリ３３２０の終端部に形成され、ユーザの皮膚に面接触するように平坦に形成される。
【００８６】
さらに、各カミソリ３３２０は、髭剃り方向が同一となるように形成される。すなわち、フレーム部３２００の上端部及び下端部に形成されるカミソリ３３２０は、髭剃り方向が同一となるように形成される。
【００８７】
カミソリ３３２０は、第４面接触部３３００ａに対して９０度以下の刃角Ａ３を有するように形成される。また、各カミソリ３３２０は刃角Ａ３が同一又は異なるように形成されるので、各カミソリ３３２０は同一又は異なる厚さに形成される。さらに、カミソリ３３２０はフレーム部３２００の上端部及び下端部に複数で形成されてもよく、その場合、各カミソリ３３２０は同一又は異なる刃角、刃間隔及び刃厚に形成される。
【００８８】
図１１は本発明の第４実施形態による一体型多重カミソリの斜視図であり、図１２は本発明の第４実施形態による一体型多重カミソリの側面図である。
【００８９】
図１１及び図１２に示すように、本発明の第４実施形態による一体型多重カミソリのカミソリ部４３００は、フレーム部４２００の上端部又は下端部にフレーム部４２００と一体に形成される。すなわち、図１１及び図１２においてはカミソリ部４３００がフレーム部４２００の下端部に形成されたものを示しているが、下端部ではなく上端部に前記カミソリ部が形成されてもよい。
【００９０】
また、カミソリ部４３００は、皮膚に面接触するように平坦に形成された第５面接触部４３１０を終端部に備えるカミソリ４３２０を有する。
【００９１】
さらに、各カミソリ４３２０は、フレーム部４２００の長手方向中心軸を中心に対称となるように形成され、髭剃り方向が互いに反対となるように形成される。
【００９２】
こうすることにより、本発明の第４実施形態による一体型多重カミソリは、両方向の髭剃りが可能になる。
【００９３】
カミソリ４３２０は、第５面接触部４３１０に対して９０度以下の刃角Ａ４を有するように形成される。ここで、カミソリ４３２０の刃角Ａ４が小さいほど髭剃り性能は向上する。
【００９４】
また、各カミソリ４３２０は、同一又は異なる刃角及び刃厚に形成される。
【００９５】
図１３は本発明の第５実施形態による一体型多重カミソリの斜視図であり、図１４は本発明の第５実施形態による一体型多重カミソリの側面図である。
【００９６】
図１３及び図１４に示すように、本発明の第５実施形態による一体型多重カミソリのカミソリ部５３００は、フレーム部５２００の上端部又は下端部にフレーム部５２００と一体に形成される。すなわち、図１３及び図１４においてはカミソリ部５３００がフレーム部５２００の上端部に形成されたものを示しているが、上端部ではなく下端部に前記カミソリ部が形成されてもよい。
【００９７】
また、カミソリ部５３００は、外側面全体が第６面接触部５３１０を形成するカミソリ５３２０を有し、各カミソリ５３２０は、髭剃り方向が同一となるように形成される。
【００９８】
さらに、各カミソリ５３２０は、異なる刃角Ａ５、Ａ６を有するように形成され、異なる刃厚に形成される。
【００９９】
各カミソリ５３２０の刃角Ａ５、Ａ６は、第６面接触部５３１０に対して９０度以下となるように形成され、ここで、カミソリ５３２０の刃角Ａ５、Ａ６が小さいほど髭剃り性能は向上する。
【０１００】
一方、各カミソリ５３２０は、フレーム部５２００の長手方向中心軸を中心に対称となるように形成されてもよく、そうすると各カミソリ５３２０の刃角Ａ５、Ａ６は同一になる。
【０１０１】
前述した本発明の説明は例示のためのものであり、本発明の属する技術分野における通常の知識を有する者であれば、本発明の技術的思想や必須の特徴を変更することなく他の具体的な形態に容易に変形できることを理解するであろう。よって、上記実施形態はあくまで例示的なものであり、限定的なものではないと理解すべきである。例えば、単一型で説明されている各構成要素が分散して実施されてもよく、同様に分散したものが説明されている構成要素も結合された形態で実施されてもよい。
【０１０２】
本発明の範囲は請求の範囲により定められるものであり、請求の範囲の意味及び範囲並びにその均等概念から導かれるあらゆる変更又は変形された形態が本発明に含まれるものと解釈されるべきである。
【図１】
2016523653.tif 000003
【図２】
2016523653.tif 000004
【図３】
2016523653.tif 000005
【図４】
2016523653.tif 000006
【図５】
2016523653.tif 000007
【図６ａ】
2016523653.tif 000008
【図６ｂ】
2016523653.tif 000009
【図６ｃ】
2016523653.tif 000010
【図７】
2016523653.tif 000011
【図８】
2016523653.tif 000012
【図９】
2016523653.tif 000013
【図１０】
2016523653.tif 000014
【図１１】
2016523653.tif 000015
【図１２】
2016523653.tif 000016
【図１３】
2016523653.tif 000017
【図１４】
2016523653.tif 000018
【国際調査報告】
2016523653.tif 000019
2016523653.tif 000020
2016523653.tif 000021
2016523653.tif 000022